(57)【要約】【課題】商用電源から供給される電力値の合計が許容電力値を超えないようにしながら、処理能力が高く、画像形成速度が高い、画像形成システムを提供する。【解決手段】画像形成システム１では、プリントサーバ２と商用電源６から電力を供給される複数のプリンタ３Ａ〜３Ｃとが通信自在に接続される。複数のプリンタ３Ａ〜３Ｃのうち少なくとも１個のプリンタは、蓄電池付きプリンタ３Ａである。プリントサーバ２は、起動状態にすべきプリンタの合計消費電力値を取得する取得部２Ｂと、合計消費電力値が商用電源６の許容電力値を超えない場合、起動状態にすべき全てのプリンタに商用電源６から第１の電力値の電力を供給し、合計消費電力値が許容電力値を超える場合、起動状態にすべき蓄電池付きプリンタ３Ａのうち少なくとも１個の蓄電池付きプリンタ３Ａに第１の電力値より小さい第２の電力値の電力を供給する供給部２Ｃと、を有する。【選択図】図１
2008262295.tif 000002
【特許請求の範囲】
【請求項１】
電源制御装置と、商用電源から電力を供給される複数の画像形成装置と、が通信自在に接続された画像形成システムであって、
各画像形成装置は、所定の第１の電力値の電力で、画像形成動作可能な起動状態となり、
前記複数の画像形成装置のうち少なくとも１個の画像形成装置は、前記商用電源以外の電力の供給源を有する供給源付き画像形成装置であり、
前記電源制御装置は、
前記複数の画像形成装置のうち、すでに起動状態にある画像形成装置及び起動状態にしようとする画像形成装置を含む起動状態にすべき画像形成装置の、合計消費電力値を取得する取得部と、
前記合計消費電力値が商用電源の許容電力値を超えない場合、起動状態にすべき全ての画像形成装置のそれぞれに商用電源から前記第１の電力値の電力を供給し、前記合計消費電力値が前記許容電力値を超える場合、起動状態にすべき供給源付き画像形成装置のうち少なくとも１個の供給源付き画像形成装置に商用電源から前記第１の電力値より小さい第２の電力値の電力を供給し、起動状態にすべき画像形成装置のうち他の画像形成装置に前記第１の電力値の電力を供給する供給部と、を有する画像形成システム。
【請求項２】
前記電源制御装置は、前記第１の電力値及び前記第２の電力値を記憶する記憶部をさらに有している請求項１に記載の画像形成システム。
【請求項３】
前記供給源は、商用電源から供給される電力によって充電される蓄電池であり、
前記供給源付き画像形成装置は、商用電源から前記第２の電力値の電力を供給される場合、起動状態になるために前記蓄電池の電力を使用する請求項１又は２に記載の画像形成システム。
【請求項４】
前記供給源付き画像形成装置は、前記蓄電池の蓄電量を検出する蓄電量検出器をさらに有し、
前記電源制御装置は、前記合計消費電力値が商用電源の許容電力値を超える場合、前記供給源付き画像形成装置のうち、前記蓄電量検出器による前記蓄電池の蓄電量の検出結果に基づいて前記蓄電池の蓄電量が所定値以上である供給源付き画像形成装置に供給する電力値を前記第２の電力値にする請求項３に記載の画像形成システム。
【請求項５】
前記電源制御装置は、前記合計消費電力値が商用電源の許容電力値を超える場合であって、画像形成要求された印刷枚数が所定値以下である場合、起動状態にすべき供給源付き画像形成装置へ供給する電力値を前記第２の電力値にし、前記印刷枚数が所定値を超える場合、前記起動状態にしようとする画像形成装置を起動状態にできない旨を通知する請求項３又は４に記載の画像形成システム。
【請求項６】
前記供給源付き画像形成装置は、現像剤を記録媒体に定着させる定着装置、及び、起動時に前記定着装置を加熱するウォームアップ用定着ヒータをさらに有する請求項１から５のいずれかに記載の画像形成システム。
【請求項７】
前記供給源付き画像形成装置は、商用電源から前記第１の電力値を供給される場合に前記供給源の電力を前記ウォームアップ用定着ヒータへ供給する制御部をさらに有する請求項６に記載の画像形成システム。
【請求項８】
前記供給源付き画像形成装置は、商用電源から前記第２の電力値の電力を供給される場合に前記供給源の電力を、前記定着装置及び前記ウォームアップ用定着ヒータ、以外の負荷機器へ供給する制御部をさらに有する請求項６に記載の画像形成システム。
【請求項９】
前記電源制御装置は、各画像形成装置について、前回の画像形成動作の終了時から所定時間、画像形成要求がない画像形成装置の電源をオフする請求項１から８のいずれかに記載の画像形成システム。
【発明の詳細な説明】
【技術分野】
【０００１】
この発明は、記録媒体に画像を形成する複数の画像形成装置とこれら複数の画像形成装置の電源を制御する電源制御装置とを含む画像形成システムに関する。
【背景技術】
【０００２】
近年、画像形成速度の高速化が図られるとともに、プリンタなどの画像形成装置がネットワーク経由で起動自在に接続された画像形成システムが開発されている。単一の画像形成システムには、複数の画像形成装置が含まれることが多く、これら複数の画像形成装置は、単一のブレーカの下に配設されたコンセントから電力の供給を受けるように配置されることが一般的に多い。このような画像形成システムでは、起動状態にすべき画像形成装置の合計消費電力値が、ブレーカによって規制された商用電源の許容電力値を超えないようにする必要がある。
【０００３】
複数の画像形成装置の合計消費電力値が許容電力値を超えないようにするために、合計消費電力値が許容電力値より小さい場合のみ画像形成動作を行わせる構成が開示されている（例えば、特許文献１参照。）。
【特許文献１】特開平１１−１４３６６３号公報
【発明の開示】
【発明が解決しようとする課題】
【０００４】
しかし、従来の構成では、合計消費電力値が許容電力値を超える場合は画像形成装置を起動状態にすることができない。このため、画像形成システムとしての処理能力が低く、合計消費電力値が許容電力値を超える状態になるような画像形成要求があった場合は、合計消費電力値が許容電力値を超えなくなるまでの待ち時間が生じる。したがって、画像形成要求があってから実際に画像が形成されるまでの画像形成速度が低下する。
【０００５】
この発明の目的は、商用電源から供給される電力値が許容電力値を超えないようにしながら、処理能力が高く、画像形成速度が高い、画像形成システムを提供することにある。
【課題を解決するための手段】
【０００６】
この発明の画像形成システムでは、電源制御装置と、商用電源から電力を供給される複数の画像形成装置と、が通信自在に接続される。各画像形成装置は、所定の第１の電力値の電力で、画像形成動作可能な起動状態となる。複数の画像形成装置のうち少なくとも１個の画像形成装置は、商用電源以外の電力の供給源を有する供給源付き画像形成装置である。電源制御装置は、複数の画像形成装置のうち、すでに起動状態にある画像形成装置及び起動状態にしようとする画像形成装置を含む起動状態にすべき画像形成装置の、合計消費電力値を取得する取得部と、合計消費電力値が商用電源の許容電力値を超えない場合、起動状態にすべき全ての画像形成装置のそれぞれに商用電源から第１の電力値の電力を供給し、合計消費電力値が許容電力値を超える場合、起動状態にすべき供給源付き画像形成装置のうち少なくとも１個の供給源付き画像形成装置に商用電源から第１の電力値より小さい第２の電力値の電力を供給し、起動状態にすべき画像形成装置のうち他の画像形成装置に第１の電力値の電力を供給する供給部と、を有する。
【０００７】
この構成では、合計消費電力値が許容電力値を超える場合、起動状態にすべき供給源付き画像形成装置のうち少なくとも１個の供給源付き画像形成装置に商用電源から供給される電力値が、第１の電力値より小さい第２の電力値にされることで、商用電源から供給される電力値の合計が許容電力値を超えないように制御されながら、起動すべき画像形成装置が起動される。
【０００８】
電源制御装置は、第１の電力値及び第２の電力値を記憶する記憶部をさらに有していてもよい。電源制御装置が第１の電力値及び第２の電力値を予め記憶していれば、各画像形成装置を起動状態にするのに必要な電力値を測定する手段を必要としないので、部品点数が減少し、製造コストが低下する。また、画像形成装置の電源の制御に要する負荷が低下する。
【０００９】
供給源は、商用電源から供給される電力によって充電される蓄電池であってもよく、供給源付き画像形成装置は、商用電源から第２の電力値を供給される場合、起動状態になるために蓄電池の電力を使用することができる。この構成では、商用電源から供給される電力値が第１の電力値から第２の電力値へ小さくされた分を、蓄電池の電力で補うことで、画像形成装置を起動状態にすることができる。
【００１０】
供給源付き画像形成装置は、蓄電池の蓄電量を検出する蓄電量検出器をさらに有していてもよく、電源制御装置は、合計消費電力値が商用電源の許容電力値を超える場合、供給源付き画像形成装置のうち、蓄電量検出器による蓄電池の蓄電量の検出結果に基づいて蓄電池の蓄電量が所定値以上である供給源付き画像形成装置に供給する電力値を第２の電力値にしてもよい。
【００１１】
この構成では、蓄電池の蓄電量を予め検出して、蓄電量が所定値以上である供給源付き画像形成装置に供給する電力値を第２の電力値にするので、蓄電量不足で画像形成装置を起動状態にできないという事態を防止することができる。
【００１２】
電源制御装置は、合計消費電力値が商用電源の許容電力値を超える場合であって、画像形成要求された印刷枚数が所定値以下である場合、起動状態にすべき供給源付き画像形成装置へ供給する電力値を第２の電力値にし、前記印刷枚数が所定値を超える場合、起動状態にしようとする画像形成装置を起動状態にできない旨を通知してもよい。
【００１３】
この構成では、画像形成要求された印刷枚数が所定値以下である場合は、蓄電池の蓄電量で必要電力を補って画像形成動作を行うことができる一方、印刷枚数が所定値を超える場合は、蓄電池の蓄電量で必要電力を補えない虞があるので、これから起動状態にしようとする画像形成装置を起動できない旨を通知して警告することができる。
【００１４】
供給源付き画像形成装置は、現像剤を記録媒体に定着させる定着装置、及び、起動時に定着装置を加熱するウォームアップ用定着ヒータをさらに有していてもよい。この構成では、画像形成装置の起動時に、ウォームアップ用定着ヒータで定着装置を加熱することで、定着装置が必要な温度に到達する時間を短縮することができ、画像形成装置が画像形成動作可能な起動状態になるまでの時間を短縮して画像形成速度を高めることができる。
【００１５】
供給源付き画像形成装置は、商用電源から第１の電力値の電力を供給される場合に供給源の電力をウォームアップ用定着ヒータへ供給する制御部をさらに有していてもよい。この構成では、画像形成装置を起動状態にするために必要な電力は商用電源から供給されるので、供給源の電力をウォームアップ用定着ヒータへ供給することで、商用電源から供給される電力を高めることなく、画像形成装置が画像形成動作可能な起動状態になるまでの時間を短縮して画像形成速度を高めることができる。
【００１６】
供給源付き画像形成装置は、商用電源から第２の電力値の電力を供給される場合に供給源の電力を、定着装置及びウォームアップ用定着ヒータ、以外の負荷機器へ供給する制御部をさらに有していてもよい。この構成では、商用電源から供給される電力値が第１の電力値に満たないので、画像形成装置を起動状態にするために不足する分の電力を供給源から補うことができる。
【００１７】
電源制御装置は、各画像形成装置について、前回の画像形成動作の終了時から所定時間、画像形成要求がない画像形成装置の電源をオフしてもよい。この構成では、所定時間画像形成動作していない画像形成装置の電源をオフすることで、合計消費電力値を下げることができる。これによって、次に画像形成装置を起動させるときに、合計消費電力値が許容電力値を超えにくくなる。
【発明の効果】
【００１８】
この発明によれば、合計消費電力値が許容電力値を超える場合、起動状態にすべき供給源付き画像形成装置のうち少なくとも１個の供給源付き画像形成装置に商用電源から供給される電力値を、第１の電力値より小さい第２の電力値にすることで、商用電源から供給される電力値の合計が許容電力値を超えないようにしながら、画像形成システムの処理能力を高くし、画像形成速度を高くすることができる。
【発明を実施するための最良の形態】
【００１９】
以下に、この発明を実施するための最良の形態について、図面に基づいて説明する。図１は、この発明の実施形態に係る画像形成システムの構成を示すブロック図である。
【００２０】
画像形成システム１は、通信回線を介して接続された、プリントサーバ２、複数のプリンタ３Ａ，３Ｂ，３Ｃ、及び、クライアントパーソナルコンピュータ（以下、ＰＣという。）を備えている。プリンタ３Ａ〜３Ｃには、商用電源６から電力が供給される。商用電源６の許容電力値は、ブレーカ７によって例えば４ｋｗに制限されている。
【００２１】
プリントサーバ２は、この発明の電源制御装置に相当する。プリンタ３Ａ〜３Ｃは、この発明の画像形成装置に相当する。プリンタ３Ａ〜３Ｃは、２個、又は、４個以上の複数であってもよい。この実施形態では、プリンタ３Ａのみが蓄電池４を内蔵する蓄電池付きプリンタであり、他のプリンタ３Ｂ、３Ｃは、蓄電池を有しないものとする。蓄電池４は、この発明の供給源に相当する。この実施形態では、蓄電池４として、電気二重層コンデンサが用いられている。蓄電池付きプリンタ３Ａは、この発明の供給源付き画像形成装置に相当する。
【００２２】
プリントサーバ２は、記憶部２Ａ，取得部２Ｂ，供給部２Ｃを有する。図２に示すように、記憶部２Ａには、プリンタ管理テーブルデータが記憶されている。プリンタ管理テーブルデータには、プリントサーバ２に接続された全てのプリンタ３Ａ〜３Ｃのそれぞれと、プリンタ名、電源状態、第１の電力値、蓄電池の有無、及び、蓄電池４を有するプリンタ２Ａについては第２の電力値と、の関係が含まれる。
【００２３】
電源状態は、各プリンタ３Ａ〜３Ｃが起動状態（電源がオンされている）か又は停止状態（電源がオフされている）かの状態を示す。第１の電力値は、プリンタ３Ａ〜３Ｃの画像形成動作可能な状態である起動状態における消費電力値であり、この実施形態では、１．５ｋｗである。第２の電力値は、第１の電力値より小さい所定の電力値である。この実施形態では、蓄電池４の出力電力値が０．５ｋｗであり、第２の電力値は１ｋｗである。
【００２４】
プリントサーバ２は、プリンタ３Ａ〜３Ｃのいずれかの電源状態を変更するとき、プリンタに起動コマンド又は停止コマンドを送信するとともに、プリンタ管理テーブルデータを更新する。
【００２５】
取得部２Ｂは、複数のプリンタ３Ａ〜３Ｂのうち起動状態にすべきプリンタの合計消費電力値を取得する。合計消費電力値には、すでに起動状態にあるプリンタ、及び、起動状態にしようとするプリンタ、の両者の消費電力値が含まれる。取得部２Ｂは、記憶部２Ａからプリンタ管理テーブルデータを参照して、起動すべきプリンタの第１の電力値を加算することで、合計消費電力値を算出する。
【００２６】
供給部２Ｃは、合計消費電力値と商用電源の許容電力値とを比較した結果に基づいて、プリンタ３Ａ〜３Ｃへ、商用電源６から第１の電力値又は第２の電力値の電力の供給を受けて起動する起動コマンドを送信する。
【００２７】
上述のように、プリントサーバ２は、ＰＣ５Ａ〜５Ｃのいずれかから、画像データとともに画像形成要求を受信すると、画像形成要求で指定されたプリンタが、起動状態であれば、画像データ及び画像形成要求をプリンタへ送信し、停止状態であれば、プリンタを起動した後に、画像データ及び画像形成要求をプリンタへ送信する。
【００２８】
図３は、蓄電池付きプリンタ３Ａの電力供給ラインを示すブロック図である。
【００２９】
蓄電池付きプリンタ３Ａは、サブ電源部１１、通信部１２、蓄電量検出器１３、制御部１４、サーミスタ１５、メイン電源部２１、一般負荷２２、充電回路３１、蓄電池４、定着ヒータ４１、ウォームアップ用定着ヒータ４２、メインスイッチ５１、及び、サブスイッチ５２，５３，５４，５５，５６を備えている。
【００３０】
サブスイッチ５２〜５６は、プリントサーバ２から送信される起動コマンド及び停止コマンドを含む給電制御信号に基づいて、制御部１４によってオン／オフ制御される。
【００３１】
メインスイッチ５１は、プリンタ３Ａの筐体の表面に設けられており、ユーザに押下されることによって、プリンタ３Ａ全体への電力供給状態をオン又はオフに切り替える。
【００３２】
定着ヒータ４１は、サブスイッチ５４及びメインスイッチ５１を介して商用電源６に接続されている。メインスイッチ５１がオンされている間、サブスイッチ５４のオン／オフ制御によって、商用電源６から定着ヒータ４１への電力の供給状態が切り換えられる。
【００３３】
定着ヒータ４１は、供給された電力のほとんどを熱に変換し、図示されていない定着ローラを加熱する。定着ロータは、現像剤であるトナーを溶融させ、記録媒体である用紙に定着させる。定着ヒータ４１は、ウォームアップ時、画像形成動作時、及び、予熱モード時に、電力を供給されて加熱する。
【００３４】
充電回路３１は、サブスイッチ５３及びメインスイッチ５１を介して商用電源６に接続されている。充電回路３１は、蓄電池４へ供給する電圧および電流を制御する。メインスイッチ５１がオンされている間、サブスイッチ５３のオン／オフ制御によって、商用電源６から充電回路３１への電力の供給状態が切り換えられる。プリンタ３Ａが画像形成動作を行わない所定の待機時に、サブスイッチ５４がオフされてサブスイッチ５３がオンされ、これによって、蓄電池４が商用電源６から供給される電力で充電される。
【００３５】
また、サブスイッチ５５のオン／オフ制御によって、蓄電池４からメイン電源部２１への電力の供給状態が切り換えられる。サブスイッチ５６のオン／オフ制御によって、蓄電池４からウォームアップ用定着ヒータ４２への電力の供給状態が切り換えられ、サブスイッチ５６がオンされた状態で、蓄電池４からウォームアップ用定着ヒータ４２へ電力が供給される。
【００３６】
ウォームアップ用定着ヒータ４２は、ウォームアップ時に蓄電池４から電力を供給されることで、定着ヒータ４１とともに定着ローラを加熱する。これによって、定着ローラが必要な温度に到達するまでの時間が短縮され、プリンタ３Ａが画像形成動作可能な起動状態になるまでの時間が短縮されるので、画像形成要求してから用紙に画像が形成されるまでの画像形成速度が高められる。
【００３７】
メイン電源部２１は、サブスイッチ５２及びメインスイッチ５１を介して商用電源６に接続されている。メインスイッチ５１がオンされている間、サブスイッチ５２のオン／オフ制御によって、商用電源６からメイン電源部２１への電力の供給状態が切り換えられる。また、サブスイッチ５５がオンされた状態で、蓄電池４からメイン電源部２１へ電力が供給される。
【００３８】
メイン電源部２１は、一般負荷２２へ供給する電圧および電流を制御する。一般負荷２２には例えば、定着ヒータ４１、ウォームアップ用定着ヒータ４２、サブ電源部１１、通信部１２、蓄電量検出器１３、制御部１４、及び、サーミスタ１５が含まれず、図示されていない感光体ドラム、現像装置、搬送ローラ群、転写ユニット、画像読取部、及び、表示部等を駆動させるための、モータや電気基板等の負荷機器が含まれる。感光体ドラムは、静電潜像を担持しながら回転する。現像装置は、トナーを感光体ドラムの表面へ供給することで、静電潜像を現像して現像剤像を形成する。搬送ローラ群は、プリンタ３Ａ内に設けられた搬送路に沿って用紙を搬送する。転写ユニットは、搬送ローラ群によって搬送された用紙に感光体ドラムの表面に形成された現像剤像を転写する。画像読取部は、原稿台に置かれた原稿の画像を読み取って画像データを形成する。表示部は、ユーザに通知すべき情報を表示する。
【００３９】
サブ電源部１１はメインスイッチ５１を介して商用電源６に接続されている。メインスイッチ５１がオンされている間、サブ電源部１１には常に商用電源６から電力が供給され続ける。
【００４０】
制御部１４は、プリンタ３Ａ全体の動作を統括的に制御し、サブスイッチ５２〜５６のオン／オフ制御を行う。蓄電量検出部１３は蓄電池４の両端電圧を測定することで蓄電池４の蓄電量を検出し、検出結果を制御部１４へ出力する。制御部１４は、蓄電池４の蓄電量が所定値以上である場合に、蓄電池が満充電されていると判定する。制御部１４は、通信部１２を介して、プリントサーバ２へ蓄電池４の蓄電量を送信する。
【００４１】
サーミスタ１５は定着ローラの温度を測定して、測定結果を制御部１４へ出力する。制御部１４は、画像形成動作時に、サーミスタ１５による定着ローラの温度の測定結果に基づいて、サブスイッチ５４のオン／オフ制御を行う。通信部１２は、通信回線を介してプリントサーバ２と通信する。サブ電源部１１は、制御部１４、蓄電量検出器１３、サーミスタ１５、及び、通信部１２のそれぞれに供給する電圧および電流を制御する。
【００４２】
図４は、蓄電池付きプリンタ３Ａの制御ラインを示すブロック図である。
【００４３】
制御部１４は、メインコントローラ１４Ａ、スキャナコントローラ１４Ｂ、プリンタコントローラ１４Ｃ、及び、ネットワークコントローラ１４Ｄの機能を有する。
【００４４】
メインコントローラ１４Ａは、スキャナコントローラ１４Ｂ、プリンタコントローラ１４Ｃ、及び、ネットワークコントローラ１４Ｄが良好に連携するように制御する。スキャナコントローラ１４Ｂは、セットされた原稿の画像から画像データを読み取り、画像データを、メインコントローラ１４Ａを介してプリンタコントローラ１４Ｃへ出力する。ネットワークコントローラ１４Ｄは、通信部１２がプリンタ３Ａ〜３Ｃから受信した印刷ジョブの画像データを、メインコントローラ１４Ａを介してプリンタコントローラ１４Ｃへ出力する。プリンタコントローラ１４Ｃは、印刷ジョブの画像データに基づいて、用紙に電子写真方式の画像形成処理を行う。
【００４５】
プリンタコントローラ１４Ｃは、一般負荷２２への電力の供給を制御するために、サブスイッチ５３，５５のオン／オフを制御する。また、プリンタコントローラ１４Ｃは、サーミスタ１５によって検出される定着ローラの温度を所定値にするように、サブスイッチ５４のオン／オフを制御する。また、プリンタコントローラ１４Ｃは、蓄電池４への電力の供給を制御するために、サブスイッチ５３のオン／オフを制御する。
【００４６】
ネットワークコントローラ１４Ｄは、通信部１２でプリントサーバ２からの蓄電量要求信号を受信すると、蓄電量検出器１３によって蓄電池４の蓄電量を検出し、蓄電量通知信号を作成する。ネットワークコントローラ１４Ｄは、蓄電量通知信号を通信部１２からプリントサーバ２へ送信する。
【００４７】
プリンタ３Ａは、上述のような電力供給ラインと制御ラインとによって各部が動作する。
【００４８】
図５は、蓄電池４を有しないプリンタ３Ｂの電力供給ラインを示すブロック図である。図６は、蓄電池４を有しないプリンタ３Ｂの制御ラインを示すブロック図である。プリンタ３Ｃは、プリンタ３Ｂと同様に構成されている。
【００４９】
プリンタ３Ｂは、蓄電量検出器１３、充電回路３１、蓄電池４、ウォームアップ用定着ヒータ４２、サブスイッチ５３，５５，５６を有しないことを除いて、プリンタ３Ａと同様に構成されている。
【００５０】
図７は、プリントサーバ２の処理手順を示すフローチャートである。図８は、第１の電力値の電力を供給されたウォームアップ時の蓄電池付きプリンタ３Ａの電力供給ラインを示すブロック図である。図９は、第１の電力値の電力を供給されたウォームアップ時及び画像形成動作時の蓄電池４を有しないプリンタ３Ｂの電力供給ラインを示すブロック図である。プリンタ３Ｃは、プリンタ３Ｂと同様に構成されている。図１０は、第１の電力値の電力を供給された画像形成動作時の蓄電池付きプリンタ３Ａの電力供給ラインを示すブロック図である。図１１は、第２の電力値の電力を供給されたウォームアップ時及び画像形成動作時の蓄電池付きプリンタ３Ａの電力供給ラインを示すブロック図である。
【００５１】
プリントサーバ２は、プリンタ３Ａ〜３ＣのうちのＭＦＰ＿Ｘという名称のプリンタに画像形成要求された場合（Ｓ１）、すでに起動状態にあるプリンタ、及び、これから起動状態にしようとするプリンタＭＦＰ＿Ｘを含めて、起動状態にすべきプリンタの合計消費電力値を取得する（Ｓ２）。プリンタサーバ２は、記憶部２Ａからプリンタ管理テーブルデータを参照し、起動状態にすべきプリンタの第１の電力値を合算することで、合計消費電力値を算出する。
【００５２】
プリントサーバ２は、合計消費電力値が商用電源６の許容電力値である４ｋｗ以下である場合、プリンタＭＦＰ＿Ｘへ第１の電力値の電力を供給して、プリンタＭＦＰ＿Ｘへ起動コマンドを送信する（Ｓ３）。
【００５３】
図８及び図９に示すように、第１の電力値で起動すべき起動コマンドを受信したプリンタＭＦＰ＿Ｘでは、制御部１４によって、サブスイッチ５２，５４がオンにされることで、メイン電源部２１及び定着ヒータ４１に、商用電源６から電力が供給される。この実施形態では、メイン電源２１に０．５ｋｗの電力が供給され、定着ヒータに１ｋｗの電力が供給される。これによって、プリンタＭＦＰ＿Ｘが、画像形成動作可能な起動状態にされる。
【００５４】
プリンタＭＦＰ＿Ｘが蓄電池付きプリンタ３Ａである場合、図８に示すように、サブスイッチ５２，５４に加えて、サブスイッチ５６が制御部１４によってオンされ、蓄電池４の電力がウォームアップ用定着ヒータ４２へ供給される。メイン電源部２１及び定着ヒータ４１へ供給すべき電力は商用電源６から供給されるので、蓄電池４の電力をウォームアップ用定着ヒータ４２へ供給することで、商用電源６から供給される電力を高めることなく、プリンタＭＦＰ＿Ｘが起動状態になるまでの時間が短縮されて画像形成速度が高められる。
【００５５】
制御部１４は、サーミスタ１５による定着ローラの検出温度に基づいて、定着ローラが所定温度に達した場合、サブスイッチ５６をオフにして、ウォームアップ用定着ヒータ４２による定着ローラの加熱を停止する。
【００５６】
画像形成動作時には、サブスイッチ５４が、サーミスタ１５による定着ローラの検出温度に応じてオン／オフ制御される。プリンタＭＦＰ＿Ｘが蓄電池付きプリンタ３Ａである場合、図１０に示すように、サブスイッチ５６がオフされており、ウォームアップ用定着ヒータ４２による定着ローラの加熱が停止されている。
【００５７】
プリントサーバ２は、プリンタＭＦＰ＿Ｘに画像形成要求された印刷ジョブが終了すると（Ｓ４）、所定時間経過後に（Ｓ５）、プリンタＭＦＰ＿Ｘへ停止コマンドを送信する。制御部１４は、停止コマンドを受信すると、サブスイッチ５２，５４をオフにすることで、プリンタＭＦＰ＿Ｘの電源をオフにする（Ｓ６）。これによって、所定時間画像形成動作していない画像形成装置への商用電源６からの電力の供給が中止され、合計消費電力値が下げられる。したがって、次にプリンタ３Ａ〜３Ｂのいずれかを起動させるときに、合計消費電力値が商用電源６の許容電力値を超えにくくなる。
【００５８】
制御部１４は、プリントサーバ２から停止コマンドを受信すると、サブスイッチ５３をオンにすることで、蓄電池３２を充電する。
【００５９】
プリントサーバ２は、Ｓ２において合計消費電力値が商用電源６の許容電力値である４ｋｗを超える場合、プリンタＭＦＰ＿Ｘが蓄電池４を有するタイプのプリンタ３Ａであるか否かを判定する（Ｓ７）。
【００６０】
プリントサーバ２は、プリンタＭＦＰ＿Ｘが蓄電池４を有する場合、プリンタＭＦＰ＿Ｘへの供給電力値を第２の電力値にした場合の起動状態にすべきプリンタの合計消費電力値が、商用電源６の許容電力値である４ｋｗ以下になるか否かをさらに判定し（Ｓ８）、合計消費電力値が４ｋｗを超える場合、プリンタＭＦＰ＿Ｘを起動できない旨を、画像形成要求をしたＰＣへ通知する（Ｓ９）。
【００６１】
プリントサーバ２は、Ｓ８において合計消費電力値が４ｋｗ以下になる場合、プリンタＭＦＰ＿Ｘの蓄電池４が満充電されているか否かをさらに判定し（Ｓ１０）、満充電されていない場合、プリンタＭＦＰ＿Ｘを起動できない旨を、画像形成要求をしたＰＣへ通知する（Ｓ９）。これによって、蓄電池４の蓄電量不足でプリンタＭＦＰ＿Ｘを起動状態にできないという事態が防止される。
【００６２】
プリントサーバ２は、Ｓ１０においてプリンタＭＦＰ＿Ｘの蓄電池４が満充電されている場合、画像形成要求による印刷枚数が所定値以下であるか否かを画像形成要求に基づいてさらに判定し（Ｓ１１）、印刷枚数が所定値を超える場合、プリンタＭＦＰ＿Ｘを起動できない旨を、画像形成要求をしたＰＣへ通知する（Ｓ９）。画像形成要求された印刷枚数が所定値以下である場合は、蓄電池４の蓄電量で必要電力を補って画像形成動作を行うことができる一方、印刷枚数が所定値を超える場合は、蓄電池４の蓄電量で必要電力を補えない虞があるので、これから起動状態にしようとするプリンタＭＦＰ＿Ｘを起動できない旨を通知して警告することができる。
【００６３】
プリントサーバ２は、Ｓ１１において印刷枚数が所定値以下である場合、プリンタＭＦＰ＿Ｘへ第２の電力値の電力を供給して、プリンタＭＦＰ＿Ｘへ起動コマンドを送信する（Ｓ１２）。
【００６４】
図１１に示すように、第２の電力値で起動すべき起動コマンドを受信したプリンタＭＦＰ＿Ｘでは、制御部１４によって、サブスイッチ５４がオンにされることで、商用電源６から定着ヒータ４１へ１ｋｗの電力が供給される。また、サブスイッチ５５がオンされることで、蓄電池３２からメイン電源部２１へ０．５ｋｗの電力が供給される。なお、サブスイッチ５２は、図８及び図１０の場合と異なり、オフにされたままである。
【００６５】
第１の電力値と第２の電力値との差分が蓄電池４の電力で補われることで、蓄電池付きプリンタ３Ａが起動状態にされる。
【００６６】
プリントサーバ２は、プリンタＭＦＰ＿Ｘが蓄電池４を有しないタイプのプリンタ３Ｂ又はプリンタ３Ｃであって（Ｓ７）、現に起動状態にあるプリンタの中に商用電源６から第１の電力値の電力の供給を受けて起動状態にある蓄電池付きプリンタ３Ａがある場合（Ｓ１３）、この蓄電池付きプリンタ３Ａへの供給電力値を第２の電力値にした場合の起動状態にすべきプリンタの合計消費電力値が、商用電源６の許容電力値である４ｋｗ以下になるか否かを判定する（Ｓ１４）。
【００６７】
プリントサーバ２は、合計消費電力値が４ｋｗを超える場合、プリンタＭＦＰ＿Ｘを起動できない旨を、画像形成要求をしたＰＣへ通知する（Ｓ９）。
【００６８】
プリントサーバ２は、Ｓ１４において合計消費電力値が４ｋｗ以下になる場合、現に起動状態にある蓄電池付きプリンタ３Ａの蓄電池４が満充電された状態であるか否かをさらに判定し（Ｓ１５）、満充電されていない場合、プリンタＭＦＰ＿Ｘを起動できない旨を、画像形成要求をしたＰＣへ通知する（Ｓ９）。これによって、蓄電池４の蓄電量不足で蓄電池付きプリンタ３Ａの画像形成動作が中断する事態が防止される。
【００６９】
プリントサーバ２は、Ｓ１５において蓄電池付きプリンタ３Ａの蓄電池４が満充電されている場合、蓄電池付きプリンタ３Ａの残り印刷枚数が所定値以下であるか否かをさらに判定し（Ｓ１６）、残り印刷枚数が所定値を超える場合、プリンタＭＦＰ＿Ｘを起動できない旨を、画像形成要求をしたＰＣへ通知する（Ｓ９）。残り印刷枚数が所定値以下である場合は、蓄電池付きプリンタ３Ａにおいて、全ての印刷枚数分について蓄電池４の蓄電量で必要電力を補って画像形成動作を行うことができる一方、印刷枚数が所定値を超える場合は、蓄電池付きプリンタ３Ａにおいて、蓄電池４の蓄電量で必要電力を補えず画像形成動作が中断する虞があるので、これから起動状態にしようとするプリンタＭＦＰ＿Ｘを起動できない旨を通知して警告する。
【００７０】
プリントサーバ２は、Ｓ１６において印刷枚数が所定値以下である場合、商用電源６から第１の電力値の電力の供給を受けて起動状態にある蓄電池付きプリンタ３Ａへの、商用電源６からの供給電力値を、第２の電力値に変更し（Ｓ１７）、プリンタＭＦＰ＿Ｘへ第１の電力値の電力を供給して起動する起動コマンドを送信する（Ｓ３）。
【００７１】
蓄電池付きプリンタ３Ａへの供給電力値が第１の電力値から第２の電力値へ小さくされた分の電力を、プリンタＭＦＰ＿Ｘへ供給することができるので、プリンタＭＦＰ＿Ｘが第１の電力値の供給を受けて起動状態になることができる。
【００７２】
蓄電池付きプリンタ３Ａは、商用電源６から供給される電力値が第１の電力値から第２の電力値へ小さくされた分を、蓄電池４の電力で補うことで、起動状態になる。
【００７３】
プリントサーバ２は、現に起動状態にあるプリンタの中に商用電源６から第１の電力値の電力の供給を受けて起動状態にある蓄電池付きプリンタ３Ａがない場合（Ｓ１３）、プリンタＭＦＰ＿Ｘを起動できない旨を、画像形成要求をしたＰＣへ通知する（Ｓ９）。
【００７４】
上述の実施形態では、画像形成システム１は、単一の蓄電池付きプリンタ３Ａと、２個の蓄電池４を有しないプリンタ３Ｂ，３Ｃを備えているが、これに限定されない。少なくとも１個の蓄電池付きプリンタ３Ａを備えていればよく、複数又は全てのプリンタが蓄電池付きプリンタ３Ａであってもよい。
【００７５】
合計消費電力値が許容電力値を超える場合、起動状態にすべき複数の蓄電池付きプリンタのうち少なくとも１個の蓄電池付きプリンタに商用電源６から供給される電力値を、第１の電力値より小さい第２の電力値にすることで、商用電源６から供給される電力値の合計が許容電力値を超えないようにしながら、画像形成システム１の処理能力を高くし、画像形成速度を高くすることができる。
【００７６】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００７７】
【図１】この発明の実施形態に係る画像形成システムの構成を示すブロック図である。
【図２】プリントサーバに記憶されるプリンタ管理テーブルデータの一例を示す図である。
【図３】蓄電池付きプリンタの電力供給ラインを示すブロック図である。
【図４】蓄電池付きプリンタの制御ラインを示すブロック図である。
【図５】蓄電池を有しないプリンタの電力供給ラインを示すブロック図である。
【図６】蓄電池を有しないプリンタの制御ラインを示すブロック図である。
【図７】プリントサーバの処理手順を示すフローチャートである。
【図８】第１の電力値の電力を供給されたウォームアップ時の蓄電池付きプリンタの電力供給ラインを示すブロック図である。
【図９】第１の電力値の電力を供給されたウォームアップ時及び画像形成動作時の蓄電池を有しないプリンタの電力供給ラインを示すブロック図である。
【図１０】第１の電力値の電力を供給された画像形成動作時の蓄電池付きプリンタの電力供給ラインを示すブロック図である。
【図１１】第２の電力値の電力を供給されたウォームアップ時及び画像形成動作時の蓄電池付きプリンタの電力供給ラインを示すブロック図である。
【符号の説明】
【００７８】
１  画像形成システム
２  プリントサーバ
３Ａ  蓄電池付きプリンタ（供給源付き画像形成装置）
３Ｂ，３Ｃ  プリンタ（画像形成装置）
４  蓄電池
５Ａ〜５Ｃ  ＰＣ
６  商用電源
７  ブレーカ
１３  蓄電量検出器
１４  制御部
４１  定着ヒータ
４２  ウォームアップ用定着ヒータ
【図１】
2008262295.tif 000003
【図２】
2008262295.tif 000004
【図３】
2008262295.tif 000005
【図４】
2008262295.tif 000006
【図５】
2008262295.tif 000007
【図６】
2008262295.tif 000008
【図７】
2008262295.tif 000009
【図８】
2008262295.tif 000010
【図９】
2008262295.tif 000011
【図１０】
2008262295.tif 000012
【図１１】
2008262295.tif 000013